(57)【要約】      （修正有）【課題】低コストで製造可能で、かつ外出時にも使用できる目尻のたるみ矯正用美容器具を提供する。【解決手段】ヘアバンドや帽子あるいはサンバイザーの内側に化粧用スポンジ等から成る弾力性と滑り止めの作用のあるパッドを取り付けた美容器具を提供する。着用時にはパッドと皮膚ないし頭髪との間に摩擦面が形成される。この美容器具を上方へ引き上げることにより、こめかみ付近の皮膚を引き上げて目尻のたるみを矯正し容貌を改善しようとするものである。外観はヘアバンド、帽子あるいはサンバイザーであるため外出時にも使用可能である。【選択図】図１
2005144113.tif 000002
【特許請求の範囲】
【請求項１】
ヘアバンド１の裏面に弾力性と滑り止め作用のあるパッド２を取り付けた美容器具
【請求項２】
上記パッド２が上記ヘアバンド１と一体に作られることを特徴とする請求項１に記載の美容器具
【請求項３】
上記パッド２が上記ヘアバンド１と別個に製造され、使用時においてユーザーが一体に取り付けることを特徴とする請求項１に記載の美容器具
【請求項４】
請求項１のヘアバンドの一部に引き上げ材を取り付けて成る美容器具
【請求項５】
請求項１のヘアバンド１に代えて帽子もしくはサンバイザーを使用し、帽子のクラウン部裏面下端もしくはサンバイザーの頭部に当接する部分の裏面に上記パッド２を取り付けて成る美容器具
【発明の詳細な説明】
【技術分野】
【０００１】  この発明は、ヘアバンドや帽子等に弾力性と滑り止め作用のあるパッドを取り付けて成る顔面皮膚の引き上げのための美容器具に関するものである。
【背景技術】
【０００２】従来からも顔面の皮膚を引き上げて容貌を改善する技術にはいわゆるフェイスリフトと呼ばれる顔面若返りの整形手術があるが、これは費用が嵩み専門の医師にかからなければならないため手軽に利用できるものではない。又、こういった手術を利用することなく美容器具を利用して手軽に顔面の皮膚を引き上げて目の周りを中心に容貌を改善しようとする従来の技術は有るが、使用時の外見が良くないことから、使用したままでは外出することが適さないものである。従って使用場所や使用時間の制約が大きかった。（例えば特許文献１、２、３参照）【０００３】
【特許文献１】        特開平９−１６８４２４
【特許文献２】        特開２００３−７９４２９
【特許文献３】        特開２０００−２５３９３０がある。
【発明の開示】
【発明が解決しようとする課題】
【０００４】本発明の目的は低コストで製造可能でかつ使用する場所や時間の制約の少ない顔面の皮膚を引き上げる美容器具を提供することにある。
【課題を解決するための手段】
【０００５】上記の目的を達成するために、ヘアバンド等の頭部保持力のある装身具や帽子等に弾力性と滑り止めの作用のあるパッドを取り付けて顔面の皮膚を引き上げることのできる、外見が通常のヘアバンドや帽子等と殆ど変わらないことを特徴とする美容器具を発明したものである。【０００６】  （請求項１に記載した発明の構成）
請求項１に記載した発明はヘアバンド１の裏面のこめかみ付近に当接する部分に弾力性と滑り止めの作用のあるパッド２を備えているところに特徴がある。【０００７】  （請求項１に記載した発明の作用効果）
上記の構成を採用することにより、本発明を通常のヘアバンドと同様に頭部に装着するとこのパッド２と当接する皮膚や頭髪との間に摩擦が生じ、本発明を上方に引き上げることにより目尻を主とした顔面の皮膚を引き上げて容貌を改善することができる。【０００８】  （請求項２に記載した発明の特徴）
請求項２に記載した発明は、上記したヘアバンド１とパッド２とを一体にしたものであって、弾力性と滑り止めの作用のあるパッド２の素材でヘアバンド１をも作り上げるものである。【０００９】  （請求項２に記載した発明の作用効果）
上記の構成を採用することにより、ヘアバンド１の素材については限定されるものの製造上はヘアバンド１とパッド２との取り付けの工程を省くことが可能になる。【００１０】  （請求項３に記載した発明の特徴）
請求項３に記載した発明は、上記したパッド２が上記のヘアバンド１とは別個に製造され、ユーザーが使用時に一体に取り付けることとしたものである。【００１１】  （請求項３に記載した発明の作用効果）
上記の構成を採用することにより、ユーザーが自分で上記パッド２のヘアバンド１への取り付け位置を決めることができるので、ユーザーの頭のサイズに合わせたパッド２の位置ぎめができる。又取り付け取り外しを可能な構成にすれば、パッド２が皮脂等で汚れた場合に取り外してこれを洗浄することが可能となる。【００１２】  （請求項４に記載した発明の特徴）
請求項４に記載した発明は、上記パッド２を取り付けたヘアバンド１に引き上げ材３を取り付けたものである。【００１３】  （請求項４に記載した発明の作用効果）
上記の構成を採用することにより、ヘアバンド１の頭部保持力が弱い場合でも引き上げ材を使って下方へずり落ちることを防ぎ、目尻等の引き上げた状態を維持することができる。【００１４】  （請求項５に記載した発明の特徴）
請求項５に記載した発明はヘアバンド１に代えてヘアバンドと同様に頭部保持力のある帽子ないしサンバイザーを使用して美容器具を作り上げるものである。【００１５】  （請求項５に記載した発明の作用効果）
上記の構成を採用することにより、人前でヘアバンドを使用することに抵抗を感じる男性や中年以上の女性でも抵抗感なく美容器具を使用できる。
【発明の効果】
【００１６】本発明によれば、極めて簡単な構造のため低コストで製造が可能な顔面皮膚の引き上げ美容器具が提供できる。外観がヘアバンドないし帽子、サンバイザーであることから人目を憚ることなく外出時にも使用可能である。そのため又、目尻の皺、加齢によるたれ目を目立たなくする等、現に使用中の容貌を改善した状態で人前に出ることを可能とする。時代劇の主役が鬘によって目尻を引き上げ素顔より一段と凛々しい顔を演出することがあるが、それに近いことが本発明を使用することによって可能となる。
【発明を実施するための最良の形態】
【００１７】本発明は、弾力性のある繊維で織られた布やゴム紐を編み込んだ布で作られたヘアバンドあるいはプラスチックを成型したヘアバンド（いわゆるカチューシャ）１のこめかみ付近の皮膚や頭髪に当接する部分に化粧用スポンジ等の弾力性と滑り止めの作用のあるパッド２を接着する構成となっている。【００１８】この本発明を頭部に装着して引上げるとパッド２とそれに当接する皮膚や頭髪との間の摩擦によってこめかみ周辺を軽く引き上た状態を維持することができる。【００１９】この効果をより高めたい場合には、皮膚との摩擦を強めるためパッド２の皮膚に当接する面に凹凸を形成することが考えられる。更にヘアバンドがずり落ちること防ぐためヘアバンドの額もしくはその上部に当接する部分にパッド２と同様のものを取り付けたり、あるいはヘアバンド１のパッド２を取り付けた部分の近辺にリボンやゴム紐等の引き上げ材３を取り付けたうえでこれを上方に回して緊縛するなどしてヘアバンドが下へずり落ちることがないようにすることができる。
【産業上の利用可能性】
【００２０】本発明を自動車の運転時に使用すれば、パッドの押圧が目の近辺に軽い刺激を与え、更に瞼が垂れ下がるのを物理的に防ぐことから居眠り防止効果も期待できるうえ、パッドの厚さや大きさによっては衝突事故の際に頭部への打撃を緩和しうる。【００２１】瞼の下垂の甚だしい人にあっては、それがため視野の狭窄がおこり交通事故の原因になりかねないが、本発明は瞼の下垂を緩和するので視野の狭窄を改善することもできる。
【図面の簡単な説明】
【図１】本発明に係る美容器具の外観図である。
【符号の説明】
１・・・ヘアバンド
２・・・パッド
３・・・引き上げ材
【図１】
2005144113.tif 000003